(57)【要約】  伝送路符号化方式等が異なる地上ディジタル放送と衛星ディジタル放送とによるサイマル放送をダイバシティ受信し、キャリア合成して受信品質を向上させる。  直交復調部１０１とＦＦＴ処理部１０２で地上ディジタル放送の被変調信号Ｓ1から直交信号ＩＱF1を生成し、加算器１０３で直交信号ＩＱF1と補間信号Ｓmdとがキャリア合成された補間直交信号ＩＱcpをＤＱＰＳＫ復調部１０４で復調する。直交復調部１０１とＱＰＳＫ復調部２０２で衛星ディジタル放送の被変調信号Ｓ2から復調信号ＤＤ2を生成し、伝送路符号化部２０３で誤り訂正処理を施し、トランスポートストリームデータＴＳ２を生成する。ＤＱＰＳＫマッピング部３０１で、トランスポートストリームデータＴＳ２を再復調して直交信号Ｓmを生成する。同期検出部３０２ｂで、ＤＱＰＳＫ復調部１０４が復調した復調信号Ｄ1と伝送路符号化部２０３内の時間デインタリーブ部２０３ａが生成した復調信号Ｄ2とを非同期検出し、検出した時間差τdを遅延回路３０２ａの遅延時間τdとして設定させて直交信号Ｓmを遅延させることで、補間信号Ｓmdを生成させ、加算器１０３でキャリア合成させる。
2008050532.tif 000002
【特許請求の範囲】
【請求項１】
複数の受信アンテナでサイマル放送を受信するダイバシティ受信装置であって、
前記サイマル放送の一方の放送を受信して被変調信号を生成する第１の受信系統と、
前記サイマル放送の他方の放送を受信して被変調信号を生成する第２の受信系統と、
前記第１の受信系統で生成される前記被変調信号から直交信号を生成し、加算手段を介して第３の復調手段に供給する第１の復調手段と、
前記第２の受信系統で生成される前記被変調信号を復調し、復調信号を生成する第２の復調手段と、
前記第２の復調手段で生成される前記復調信号に対して誤り訂正復号処理を施す伝送路復号手段と、
前記伝送路復号手段で前記誤り訂正復号処理が行われた信号を再変調し、直交信号を生成する再変調手段と、
前記伝送路復号手段で前記誤り訂正復号処理が行われる際に時間デインタリーブされた復調信号と前記第３の復調手段で復調された復調信号とを非同期検出して、両者の復調信号の時間差を遅延時間とし、前記再変調手段で生成された前記直交信号を前記遅延時間で遅延させることで補間信号を生成する時間調整手段と、
前記補間信号と前記第１の復調手段で生成された前記直交信号とをキャリア合成することで補間直交信号を生成して前記第３の復調信号に供給する前記加算手段とを備え、
前記第３の復調手段は、前記一方の放送のキャリア変調方式に準拠した復調を行い、
前記再変調手段は、前記一方の放送のキャリア変調方式に準拠した再変調を行うこと、  を特徴とするダイバシティ受信装置。
【請求項２】
前記一方の放送は、ＤＱＰＳＫキャリア変調及びＯＦＤＭ変調されたＯＦＤＭ被変調波を地上波で伝送する地上ディジタル放送であり、
前記他方の放送は、ＱＰＳＫ変調されたＱＰＳＫ被変調波を電波伝送する衛星ディジタル放送であり、
前記第１の受信系統は、前記サイマル放送の一方の放送を受信して、前記ＤＱＰＳＫキャリア変調された前記被変調信号を生成し、
前記第２の受信系統は、前記サイマル放送の他方の放送を受信して、前記ＱＰＳＫ変調された前記被変調信号を生成すること、
を特徴とする請求項１に記載のダイバシティ受信装置。
【請求項３】
前記第３の復調手段は、ＤＱＰＳＫキャリア変調方式に準拠した復調を行い、
前記再変調手段は、ＤＱＰＳＫキャリア変調方式に準拠した再変調を行うこと、
を特徴とする請求項２に記載のダイバシティ受信装置。
【請求項４】
前記第３の復調手段で復調された前記復調信号に対して誤り訂正復号処理を施す他の伝送路復号手段を更に備えること、
を特徴とする請求項１に記載のダイバシティ受信装置。
【請求項５】
前記伝送路復号手段で前記誤り訂正復号処理が行われた信号と、前記他の伝送路復号手段で前記誤り訂正復号処理が行われた信号とを切り替えて出力、又は合成して出力する合成切替手段を備えること、
を特徴とする請求項４に記載のダイバシティ受信装置。
【請求項６】
前記合成切替手段の前記出力をデコードして放送番組を再生するデコーダを更に備えること、
を特徴とする請求項５に記載のダイバシティ受信装置。
【請求項７】
複数の受信アンテナでサイマル放送を受信するダイバシティ受信方法であって、
前記サイマル放送の一方の放送を受信して被変調信号を生成する第１の受信工程と、
前記サイマル放送の他方の放送を受信して被変調信号を生成する第２の受信工程と、
前記第１の受信工程で生成される前記被変調信号から直交信号を生成し、加算工程を介して第３の復調工程で処理させる第１の復調工程と、
前記第２の受信工程で生成される前記被変調信号を復調し、復調信号を生成する第２の復調工程と、
前記第２の復調工程で生成される前記復調信号に対して誤り訂正復号処理を施す伝送路復号工程と、
前記伝送路復号工程で前記誤り訂正復号処理が行われた信号を再変調し、直交信号を生成する再変調工程と、
前記伝送路復号工程で前記誤り訂正復号処理が行われる際に時間デインタリーブされた復調信号と前記第３の復調工程で復調された復調信号とを非同期検出して、両者の復調信号の時間差を遅延時間とし、前記再変調工程で生成された前記直交信号を前記遅延時間で遅延させることで補間信号を生成する時間調整工程と、
前記補間信号と前記第１の復調工程で生成された前記直交信号とをキャリア合成することで補間直交信号を生成して前記第３の復調信号に処理させる前記加算工程とを備え、
前記第３の復調工程では、前記一方の放送のキャリア変調方式に準拠した復調を行い、  前記再変調工程では、前記一方の放送のキャリア変調方式に準拠した再変調を行うこと、
を特徴とするダイバシティ受信方法。
【発明の詳細な説明】
【技術分野】
【０００１】
本発明は、伝送路符号化方式等が異なる例えば衛星ディジタル放送と地上ディジタル放送等の複数のディジタル放送をダイバシティ受信するダイバシティ受信装置とダイバシティ受信方法に関する。
【背景技術】
【０００２】
従来、ダイバシティ受信装置では、受信品質の向上等を図るため、合成ダイバシティ方式の無線受信技術が広く用いられている（特許文献１の図１を参照）。【０００３】
特許文献１のダイバシティ無線受信装置では、到来電波を複数の受信アンテナで受信し、ベースバンド周波数の信号（希望信号）に変換して復調する際、それら複数の希望信号をキャリア合成し、その合成後の希望信号を復調する構成となっている。かかる構成とすると、マルチパスフェーディング等の悪影響を受けた到来電波を受信し、希望信号の一部に信号成分の欠落が生じた場合等でも、キャリア合成によって欠落した信号成分を補間し、また信号レベルを増すことができるため、復調誤り等の低減や、復調信号のＳ／Ｎ比（信号対雑音比）の向上等を図ることが可能となっている。【０００４】
【特許文献１】特開平９−２４７０６６号公報
【発明の開示】
【発明が解決しようとする課題】
【０００５】
ところで、従来の合成ダイバシティ方式の受信装置では、複数の受信アンテナで到来電波を受信しているが、ユーザー等が選局した特定チャンネル（物理チャンネル）の電波（放送波等）だけを選局受信して上述のキャリア合成を行っている。したがって、伝送路符号化方式等の異なる複数の放送等を受信して各放送等の希望信号をキャリア合成しているわけではなく、あくまでも同じ放送等の希望信号をキャリア合成している。【０００６】
ところが、近年のディジタル放送システムでは、伝送路符号化方式等の異なる地上ディジタル放送と衛星ディジタル放送とによって同じ時間帯に同じ放送番組をサイマル放送し、受信環境の変化に応じて、受信機側でより良好な受信品質の得られる放送に切替えて受信することを可能にする放送サービスが開始されている。【０００７】
例えば、米国では、シリウス社（Sirius Satellite Radio Inc.）が、自動車等に搭載される移動体受信装置で受信するユーザー等に対して、かかる放送サービスを開始し、高層ビルの多い都市部等を移動中の時には、より良好な受信品質の得られる地上ディジタル放送に切替え受信し、建築物が少ない平坦な場所等を移動中では、より良好な受信品質の得られる衛星ディジタル放送に切替え受信して、常時良好な受信品質の下でシームレスに受信することを可能にしている。【０００８】
ここで、このような地上ディジタル放送と衛星ディジタル放送とによるサイマル放送を、合成ダイバシティ方式の受信装置で受信し、地上ディジタル放送を受信して得られる希望信号と衛星ディジタル放送を受信して得られる希望信号とをキャリア合成して、その合成信号を復調すれば、耐フェーディング特性等を更に向上させて、受信品質の向上を図ることが可能になるものと考えられる。【０００９】
つまり、従来の合成ダイバシティ方式の受信装置では、地上ディジタル放送だけ、又は衛星ディジタル放送だけを選局受信して、その選局受信した一方の放送の希望信号をキャリア合成することしかできないが、同じ放送番組が同じ時間帯にサイマル放送されてくる地上ディジタル放送と衛星ディジタル放送とを選局受信して、両者の希望信号をキャリア合成して復調すれば、例えば地上ディジタル放送の希望信号に信号成分の欠落等が生じた場合でも、衛星ディジタル放送の希望信号で補間等することが可能となり、耐フェーディング特性等を更に向上させて、更なる受信品質の向上を図ることが可能となるものと考えられる。【００１０】
ところが、衛星ディジタル放送と地上ディジタル放送とでは伝送路符号化方式等が異なるため、従来の合成ダイバシティ方式の受信装置では、両者の希望信号をキャリア同期させてキャリア合成することが困難となり、また、衛星ディジタル放送と地上ディジタル放送とでは無線伝送路が異なるために、両者の希望信号をキャリア同期させてキャリア合成することも困難となり、仮にキャリア合成したとしても疑信号が合成されてしまうことから、受信品質の向上を図ることが困難であった。【００１１】
本発明は、伝送路符号化方式等が異なるサイマル放送等をダイバシティ受信して、更なる受信品質の向上等を図るという新規な技術的課題に鑑みてなされたものであり、希望信号をキャリア同期させてキャリア合成することが可能なダイバシティ受信装置とダイバシティ受信方法を提供することを目的とする。
【課題を解決するための手段】
【００１２】
請求項１に記載の発明は、複数の受信アンテナでサイマル放送を受信するダイバシティ受信装置であって、前記サイマル放送の一方の放送を受信して被変調信号を生成する第１の受信系統と、前記サイマル放送の他方の放送を受信して被変調信号を生成する第２の受信系統と、前記第１の受信系統で生成される前記被変調信号から直交信号を生成し、加算手段を介して第３の復調手段に供給する第１の復調手段と、前記第２の受信系統で生成される前記被変調信号を復調し、復調信号を生成する第２の復調手段と、前記第２の復調手段で生成される前記復調信号に対して誤り訂正復号処理を施す伝送路復号手段と、前記伝送路復号手段で前記誤り訂正復号処理が行われた信号を再変調し、直交信号を生成する再変調手段と、前記伝送路復号手段で前記誤り訂正復号処理が行われる際に時間デインタリーブされた復調信号と前記第３の復調手段で復調された復調信号とを非同期検出して、両者の復調信号の時間差を遅延時間とし、前記再変調手段で生成された前記直交信号を前記遅延時間で遅延させることで補間信号を生成する時間調整手段と、前記補間信号と前記第１の復調手段で生成された前記直交信号とをキャリア合成することで補間直交信号を生成して前記第３の復調信号に供給する前記加算手段とを備え、前記第３の復調手段は、前記一方の放送のキャリア変調方式に準拠した復調を行い、前記再変調手段は、前記一方の放送のキャリア変調方式に準拠した再変調を行うこと、を特徴とする。
【図面の簡単な説明】
【００１３】
【図１】衛星ディジタル放送と地上ディジタル放送とを送信する放送局側の送信機の概略構成を表したブロック図である。
【図２】本実施形態のダイバシティ受信装置の構成を表したブロック図である。
【図３】図２に示したダイバシティ受信装置の動作を説明するためのフローチャートである。
【発明を実施するための最良の形態】
【００１４】
本発明の好適な実施形態について、図１、図２、図３を参照して説明する。図１は、地上ディジタル放送と衛星ディジタル放送とをサイマル放送する放送局側の送信機の概略構成を表したブロック図、図２は、本実施形態のダイバシティ受信装置の構成を表したブロック図、図３は、ダイバシティ受信装置の動作を説明するためのフローチャートである。【００１５】
なお、ＯＦＤＭ（Orthogonal Frequency Division Multiplexing）変調方式の地上ディジタル放送とＱＰＳＫ（Quadrature Phase Shifting Keying）変調方式の衛星ディジタル放送とによるサイマル放送を受信するダイバシティ受信装置について説明する。【００１６】
まず、図１に基づいて、放送局側の送信機の構成を概説する。 
放送局側には、同図（ａ）に示す衛星ディジタル放送を送信する送信機と、同図（ｂ）に示す地上ディジタル放送を送信する送信機とが備えられている。【００１７】
地上ディジタル放送を送信する送信機では、ＭＰＥＧ-2 VideoやＭＰＥＧ-2 Audio等の所定の情報源符号化方式に準拠して、放送番組（コンテンツ）をエンコード処理することで、トランスポートストリームデータＴＳ1をデータ生成し、外符号符号化、エネルギー拡散、バイトインタリーブ、内符号符号化等の伝送路符号化処理を行った後、ＩＦＦＴ（逆フーリエ変換）と直交変調等によるディジタル変調を行うことで、ＤＱＰＳＫ（Differential Quadrature Phase Shift Keying）キャリア変調したＯＦＤＭ被変調波を生成し、そのＯＦＤＭ被変調波を送信部で地上波にして、地上アンテナを介して受信装置側へ放送する。【００１８】
衛星ディジタル放送を送信する送信機では、ＭＰＥＧ-2 VideoやＭＰＥＧ-2 Audio等の所定の情報源符号化方式に準拠して、放送番組（コンテンツ）をエンコード処理することで、トランスポートストリームデータＴＳ2をデータ生成し、外符号符号化、エネルギー拡散、時間インタリーブ、内符号符号化等の伝送路符号化処理を行った後、ＱＰＳＫ変調と直交変調等とによるディジタル変調を行うことでＱＰＳＫ被変調波を生成し、送信部で衛星波にして、衛星を介して受信装置側へ放送する。【００１９】
そして、同じ時間帯に同じ放送番組をサイマル放送する場合には、地上ディジタル放送を送信する送信機と衛星ディジタル放送を送信する送信機が、同じ放送番組のトランスポートストリームデータＴＳ1，ＴＳ2を夫々衛星ディジタル放送と地上ディジタル放送として同じ時間帯に放送する。【００２０】
また、一般に、放送局では、衛星ディジタル放送より地上ディジタル放送を遅延させて送信する。このため、同じ時間帯に同じ放送番組のサイマル放送を行う場合でも、実際に受信機が受信アンテナを介して受信する際、衛星ディジタル放送を受信した後、地上ディジタル放送を遅れて受信することになる。【００２１】
次に、図２に基づいて、本実施形態のダイバシティ受信装置の構成を説明する。 
本実施形態のダイバシティ受信装置は、地上ディジタル放送を受信する第１の受信系統１０及び第１の復調系統１００と、衛星ディジタル放送を受信する第２の受信系統２０及び第２の復調系統２００と、補間信号Ｓmdを生成する補間系統３００と、合成/切替部４０１とデコーダ４０２を備えて構成されている。【００２２】
第１の受信系統１０は、地上波を受信する受信アンテナＡＮＴ1と、受信アンテナＡＮＴ1の出力から高周波数の受信信号ＲＦ1を選局するＲＦ増幅部１１と、受信信号ＲＦ1と所定の局発信号ω1とを混合検波することで、受信信号ＲＦ1を中間周波数の信号Ｓv1に周波数変換する周波数変換部１２と、中間周波数の信号Ｓv1からＤＱＰＳＫキャリア変調されているＯＦＤＭ被変調波（ベースバンド信号）ＩＦ1を抽出するＩＦフィルタ及びＩＦ増幅器１３と、ＯＦＤＭ被変調波ＩＦ1をディジタルデータから成るＯＦＤＭ被変調信号Ｓ1にアナログディジタル変換するＡＤ変換器１４を備えて構成されている。【００２３】
第２の受信系統２０は、衛星波を受信する受信アンテナＡＮＴ2と、受信アンテナＡＮＴ2の出力から高周波数の受信信号ＲＦ2を選局するＲＦ増幅部２１と、受信信号ＲＦ2と所定の局発信号ω2とを混合検波することで、受信信号ＲＦ2を中間周波数の信号Ｓv2に周波数変換する周波数変換部２２と、中間周波数の信号Ｓv2からＱＰＳＫ被変調波（ベースバンド信号）ＩＦ2を抽出するＩＦフィルタ及びＩＦ増幅器２３と、ＱＰＳＫ被変調波ＩＦ1をディジタルデータから成るＱＰＳＫ被変調信号Ｓ2にアナログディジタル変換するＡＤ変換器２４を備えて構成されている。【００２４】
第１の復調系統１００は、直交復調部１０１と、ＦＦＴ処理部１０２、加算器１０３、ＤＱＰＳＫ復調部１０４、伝送路復号部（誤り訂正復号部）１０５とを備えて構成されている。【００２５】
そして、直交復調部１０１がＯＦＤＭ被変調信号Ｓ1を０ＩＦの複素信号ＩＱT1に直交変換し、ＦＦＴ処理部１０２が複素信号ＩＱT1をフーリエ変換することにより直交信号ＩＱF1を生成し、加算器１０３が直交信号ＩＱF1に後述の補間信号Ｓmdをキャリア合成（加算）することで補間直交信号ＩＱcpを生成し、ＤＱＰＳＫ復調部１０４が補間直交信号ＩＱcpをＤＱＰＳＫ復調することで復調信号Ｄ１を生成し、伝送路復号部１０５が復調信号Ｄ１に対して、内符号復号、バイトデインタリーブ、エネルギー逆拡散、外符号復号等の伝送路復号処理を行うことで、トランスポートストリームデータＴＳ1を生成する。【００２６】
第２の復調系統２００は、直交復調部２０１と、ＱＰＳＫ復調部２０２、伝送路復号部２０３とを備えて構成されている。【００２７】
そして、直交復調部２０１が被変調波ＩＦ2を０ＩＦの直交信号ＩＱF2に直交変換し、ＱＰＳＫ復調部２０２が直交信号ＩＱF2をＱＰＳＫ復調することにより復調信号ＤＤ2を生成し、伝送路復号部２５が復調信号ＤＤ2に対して、内符号復号、時間デインタリーブ、エネルギー逆拡散、外符号復号等の伝送路復号処理を行うことで、トランスポートストリームデータＴＳ2を生成する。【００２８】
補間系統３００は、再変調手段としてのＤＱＰＳＫマッピング部３０１と、遅延回路３０２ａと同期検出部３０２ｂとを有する時間調整部３０２を備えて構成されている。【００２９】
ＤＱＰＳＫマッピング部３０１は、トランスポートストリームデータＴＳ2をＤＱＰＳＫ変調の信号点配置（I-Q constellation）に対応させてマッピングすることで、同相成分Ｉmと直交成分Ｑmとから成る直交信号Ｓmを生成する。【００３０】
時間調整部３０２の同期検出部３０２ｂは、ＤＱＰＳＫ復調部１０４で生成される復調信号Ｄ１と、伝送路復号部２０３内の時間デインタリーブ部２０３ａで時間デインタリーブされた復調信号Ｄ２とを入力し、復調信号Ｄ１とＤ２に各々１フレーム期間毎に含まれているフレーム同期信号を非同期検出し、両者のフレーム同期信号の時間差τdを検出する。ここで、衛星ディジタル放送より地上ディジタル放送が遅延されて伝送されてくるため、時間差τdは、復調信号Ｄ１に対する復調信号Ｄ２の遅延時間として検出される。【００３１】
時間調整部３０２の遅延回路３０２ａは、同期検出部３０２ｂで検出された時間差τdを遅延時間τdとして設定し、直交信号Ｓmを遅延時間τdで遅延させる。そして、その遅延させた直交信号Ｓmの同相成分Ｉmと直交成分Ｑmを、補間信号Ｓmdの同相成分Ｉmdと直交成分Ｑmdとして加算器１５に供給する。【００３２】
そして、加算器１５が、補間信号Ｓmdの同相成分Ｉmdと直交信号ＩＱF1の同相成分Ｉf1とをキャリア合成することで補間直交信号ＩＱcpの同相成分Ｉcpを生成し、更に、補間信号Ｓmdの直交成分Ｑmdと直交信号ＩＱF1の直交成分Ｑf1とをキャリア合成することで補間直交信号ＩＱcpの直交成分Ｑcpを生成する。【００３３】
合成/切替部４０１は、トランスポートストリームデータＴＳ1又はＴＳ2の一方を選択して出力、若しくは、トランスポートストリームデータＴＳ1とＴＳ2を合成して出力する。詳細については割愛するが、地上ディジタル放送と衛星ディジタル放送の受信感度を調べ、地上ディジタル放送の受信感度が良好で衛星ディジタル放送の受信感度が劣化している場合には、トランスポートストリームデータＴＳ1を出力、又はトランスポートストリームデータＴＳ1とＴＳ2を合成して出力する。また、地上ディジタル放送の受信感度が劣化し衛星ディジタル放送の受信感度が良好な場合には、トランスポートストリームデータＴＳ2を出力、又はトランスポートストリームデータＴＳ1とＴＳ2を合成して出力する。【００３４】
デコーダ４０２は、合成/切替部４０１から出力されるトランスポートストリームデータを入力し、ＭＰＥＧ-2 VideoやＭＰＥＧ-2 Audio等の所定の情報源符号化方式に準拠してデコード処理することにより、放送番組（コンテンツ）を再生する。【００３５】
次に、かかる構成を有する本実施形態のダイバシティ受信装置の動作について、図３を参照して説明する。 
なお、図３は、ＡＤ変換器１４と２４が所定のサンプリング周期ＴでＯＦＤＭ被変調波ＩＦ1とＱＰＳＫ被変調波ＩＦ2をＯＦＤＭ被変調信号Ｓ1とＱＰＳＫ被変調信号Ｓ2にアナログディジタル変換する毎に、第１，第２の復調系統１００，２００と補間系統３００が行う処理を示している。【００３６】
まず、第１の復調系統１００の動作について説明する。 
ステップＳＴ10において、ＡＤ変換器１４が、ＤＱＰＳＫキャリア変調されているＯＦＤＭ被変調波ＩＦ1をＯＦＤＭ被変調信号Ｓ1にアナログディジタル変換すると、ステップＳＴ11とＳＴ12において、直交復調部１０１がＯＦＤＭ被変調信号Ｓ1を直交変換することで複素信号ＩＱT1を生成し、更に複素信号ＩＱT1に含まれる不要成分をローパスフィルタリングによって除去する。【００３７】
次に、ステップＳＴ13において、ＦＦＴ処理部１０２が、複素信号ＩＱT1をフーリエ変換することで、次式（１）で表されるように、同相成分Ｉf1と直交成分Ｑf1とから成る直交信号ＩＱF1を生成する。【００３８】
【数１】
2008050532.tif 000003
【００３９】
次に、ステップＳＴ14において、直交信号ＩＱF1と後述するステップＳＴ37で生成される補間信号Ｓmdとをキャリア合成し補間直交信号ＩＱcpを生成する。つまり、次式（２ａ）（２ｂ）で表されるように、直交信号ＩＱF1の同相成分Ｉf1と補間信号Ｓmdの同相成分Ｉmdとを合成することで、補間直交信号ＩＱcpの同相成分Ｉcpを生成すると共に、直交信号ＩＱF1の直交成分Ｑf1と補間信号Ｓmdの直交成分Ｑmdとを合成することで、補間直交信号ＩＱcpの直交成分Ｑcpを生成する。【００４０】
【数２】
2008050532.tif 000004
【００４１】
これにより、例えば地上ディジタル放送の地上波がマルチパスフェーディング等の悪影響を受けて、直交信号ＩＱF1の一部に信号成分の欠落（ディップ）が生じた場合、直交信号ＩＱF1と補間信号Ｓmdとを合成することで、信号成分の欠落を補間することができる。【００４２】
次に、ステップＳＴ15において、ＤＱＰＳＫ復調部１０４が、補間直交信号ＩＱcpをＤＱＰＳＫ復調することで、復調信号Ｄ１を生成する。【００４３】
次に、ステップＳＴ16において、伝送路復号部１０５が、復調信号Ｄ１に対して誤り訂正復号処理を行うことで、トランスポートストリームデータＴＳ1を生成する。【００４４】
そして、ステップＳＴ10において、ＡＤ変換器１４がＯＦＤＭ被変調波ＩＦ1をＯＦＤＭ被変調信号Ｓ1にアナログディジタル変換する毎に、ステップＳＴ11〜ＳＴ16の処理が繰り返される。【００４５】
次に、第２の復調系統２００の動作について説明する。 
ステップＳＴ20において、ＡＤ変換器２４がＱＰＳＫ被変調波ＩＦ2をＱＰＳＫ被変調信号Ｓ2にアナログディジタル変換すると、ステップＳＴ21とＳＴ22において、直交復調部２０１がＱＰＳＫ被変調信号Ｓ2を直交変換することで直交信号ＩＱF2を生成し、更に直交信号ＩＱF2に含まれる不要成分をローパスフィルタリングによって除去する。【００４６】
次に、ステップＳＴ23において、ＱＰＳＫ復調部２０２が、直交信号ＩＱF2をＱＰＳＫ復調することで、復調信号ＤＤ2を生成する。【００４７】
次に、ステップＳＴ24において、伝送路復号部２０３が、復調信号ＤＤ2に対して誤り訂正復号処理を行うことで、トランスポートストリームデータＴＳ2を生成する。更に、誤り訂正復号処理の途中で、時間デインタリーブ部２０３ａが時間デインタリーブを行って生成する復調信号Ｄ2を同期検出部３０２ｂに供給する。【００４８】
そして、ステップＳＴ20において、ＡＤ変換器２４がＱＰＳＫ被変調波ＩＦ2をＱＰＳＫ被変調信号Ｓ2にアナログディジタル変換する毎に、ステップＳＴ21〜ＳＴ24の処理が繰り返される。【００４９】
次に、補間系統３００の動作について説明する。 
ステップＳＴ30において、同期検出部３０２ｂが、復調信号Ｄ1とＤ2に含まれているフレーム同期信号を非同期検出し、両者のフレーム同期信号の時間差τdを検出する。つまり、衛星ディジタル放送より地上ディジタル放送が遅延されて伝送されてくるため、衛星ディジタル放送に対する地上ディジタル放送の遅延時間を検出する。更に、マルチパスフェーディング等の悪影響で、ディジタル放送と地上ディジタル放送の伝搬が遅延した場合、それらの遅延時間を含めて、衛星ディジタル放送に対する地上ディジタル放送の遅延時間を検出することとなる。【００５０】
次に、ステップＳＴ31において、更に同期検出部３０２ｂは、時間差τdが０、すなわち復調信号Ｄ1とＤ2が同期しているか否か判定し、同期していると判定すると、ステップＳＴ32に移行して、遅延回路３０２ａの遅延時間τdをそのまま維持させ、一方、同期していないと判定すると、ステップＳＴ33に移行して、遅延回路３０２ａの遅延時間τdを非同期検出した時間差τdに設定（更新）させる。【００５１】
次に、ステップＳＴ34において、ＤＱＰＳＫマッピング部３０１が、時間デインタリーブ部２０３ａから供給される復調信号Ｄ2のＳ／Ｎ比（信号対雑音比）を調べて所定の閾値ＴＨＤと比較し、Ｓ／Ｎ比が閾値ＴＨＤより高い場合には復調信号Ｄ2のＳ／Ｎ比が良好と判定して、ステップＳＴ35に移行し、ＤＱＰＳＫマッピングを行って、次式（３）で表されるように、同相成分Ｉmと直交成分Ｑmから成る直交信号Ｓmを生成する。【００５２】
【数３】
2008050532.tif 000005
【００５３】
一方、Ｓ／Ｎ比が閾値ＴＨＤより低い場合には復調信号Ｄ2のＳ／Ｎ比が悪いと判定し、ステップＳＴ36に移行して、ＤＱＰＳＫマッピングを停止する。これにより、次式（４）で表されるように、同相成分Ｉmと直交成分Ｑmを共に０とする直交信号Ｓmを生成する。つまり、同相成分Ｉmと直交成分Ｑmを共に０とするので、実質的には直交信号Ｓmを生成しないこととなる。【００５４】
【数４】
2008050532.tif 000006
【００５５】
次に、ステップＳＴ37において、遅延回路３０２ａが、上述の遅延時間τdで直交信号Ｓmを遅延し、次式（５）で表されるように、その遅延後の同相成分Ｉmdと直交成分Ｑmdとから成る補間信号Ｓmdを加算器１０３に供給する。これにより、直交信号ＩＱF1と同期した補間信号Ｓmdを加算器１０３に供給し、上述したステップＳＴ14で加算器１０３に直交信号ＩＱF1と補間信号Ｓmdとをキャリア合成させ、補間直交信号ＩＱcpを生成させる。
そして、ステップＳＴ30〜ＳＴ37の処理が繰り返される。 
以上に説明したように本実施形態のダイバシティ受信装置によれば、次の効果が得られる。【００５６】
まず、図２に示したように、同期検出部３０２ｂが、地上ディジタル放送を復調するための第１の復調系統１００側のＤＱＰＳＫ復調部１０４で生成される復調信号Ｄ１と、衛星ディジタル放送を復調するための第２の復調系統２００側の伝送路復号部２０３で時間デインタリーブされた復調信号Ｄ2とを非同期検波することで、復調信号Ｄ1とＤ2との時間差（同期ズレ）τdを検出することができる。【００５７】
そして、ＤＱＰＳＫマッピング部３０１が、第２の復調系統２００側の伝送路復号部２０３で誤り訂正復号されたトランスポートストリームデータＴＳ2に基づいて、マッピング処理を行うことで、ＤＱＰＳＫキャリア変調された直交信号ＩＱF1と同質の直交信号Ｓmを生成し、更に遅延回路３０２ａが、復調信号Ｄ1とＤ2との時間差（同期ズレ）τdに基づいて設定する遅延時間τdによって直交信号Ｓmを遅延することで、直交信号ＩＱF1と同期した補間信号Ｓmdを生成し、加算器１０３に供給することができる。【００５８】
そのため、例えば地上ディジタル放送がマルチパスフェーディング等の悪影響で、直交信号ＩＱF1の一部に信号成分の欠落（ディップ）が生じた場合、加算器１０３が直交信号ＩＱF1と補間信号Ｓmdとを合成することで、信号成分の欠落を補間することができ、ＤＱＰＳＫ復調部１０４と伝送路復号部１０５を介して生成されるトランスポートストリームデータＴＳ1のＳ／Ｎ比の向上等を図ることができ、更に、合成/切替部４０１を介してトランスポートストリームデータＴＳ1がデコーダ４０２に供給されることで、品質の良い放送番組（コンテンツ）を再生させることができる。【００５９】
このように、本実施形態のダイバシティ受信装置によれば、伝送路符号化方式等が異なるサイマル放送をダイバシティ受信して、希望信号をキャリア同期させてキャリア合成することが可能となり、受信品質の向上等を図ることができる。【００６０】
なお、以上に説明した本実施形態のダイバシティ受信装置は、放送局側からＤＱＰＳＫキャリア変調されたＯＦＤＭ被変調波が電波伝送されてくる地上ディジタル放送と、ＱＰＳＫ変調されたＱＰＳＫ被変調波が電波伝送されてくる衛星ディジタル放送とを受信する場合の構成となっているが、ＯＦＤＭ被変調波が他のキャリア変調方式で変調されている場合、例えば、ＱＰＳＫ変調方式、１６ＱＡＭ（16 Quadrature Amplitude Modulation）変調方式、６４ＱＡＭ（64 Quadrature Amplitude Modulation）変調方式等の何れかのキャリア変調方式で変調されている場合には、ＤＱＰＳＫマッピング部３０１を、そのキャリア変調方式に準拠した信号点配置（I-Q constellation）に対応させてマッピングする構成とし、更に、ＤＱＰＳＫ復調部１０４をそのキャリア変調方式に準拠した復調を行う構成とすればよい。つまり、例えば、ＯＦＤＭ被変調波が１６ＱＡＭ変調方式で変調されている場合には、ＤＱＰＳＫマッピング部３０１を１６ＱＡＭマッピング部に置き換え、ＤＱＰＳＫ復調部１０４を１６ＱＡＭ復調部とすればよい。【００６１】
また、放送局側から、ＱＰＳＫ変調方式以外の他の変調方式で変調された被変調波が衛星ディジタル放送として電波伝送されてくる場合には、ＱＰＳＫ復調部２０２を、他の変調方式に準拠した復調を行う構成とすればよい。【００６２】
また、以上の説明では、ＡＤ変換器１４，２４以降の第１，第２の復調系統１００，２００と補間系統３００等をディジタル回路（ハードウェア）で形成するものとして説明したが、これら系統等と同じ機能を発揮するコンピュータプログラムを作成し、そのコンピュータプログラムをディジタルシグナルプロセッサ（ＤＳＰ）やマイクロプロセッサ（ＭＰＵ）に実行させるようにしてもよい。
【図１】
2008050532.tif 000007
【図２】
2008050532.tif 000008
【図３】
2008050532.tif 000009
【国際調査報告】
2008050532.tif 000010
2008050532.tif 000011
2008050532.tif 000012
2008050532.tif 000013